(57)【要約】【課題】  運搬しやすく利便性の高い足場用支柱を提供する。【解決手段】  側壁と、四つの仕切壁と、開口部と、中間側壁を備え、側壁は、円筒状であり、仕切壁は、側壁の軸から側壁へ向かってそれぞれ放射状に延び、長手方向に沿って形成してあり、開口部は、側壁と側壁の間において、長手方向に間隔を開けて二箇所設けてあり、開口部からは仕切壁が露出しており、中間側壁は、開口部と開口部の間において隣接する仕切壁間に形成してあり、側壁の外周から突出しない。【選択図】      図１
2019190124.tif 000002
【特許請求の範囲】
【請求項１】
側壁と、四つの仕切壁と、開口部と、中間側壁を備え、
側壁は、円筒状であり、
仕切壁は、側壁の軸から側壁へ向かってそれぞれ放射状に延び、長手方向に沿って形成してあり、
開口部は、側壁と側壁の間において、長手方向に間隔を開けて二箇所設けてあり、開口部からは仕切壁が露出しており、
中間側壁は、開口部と開口部の間において隣接する仕切壁間に形成してあり、側壁の外周から突出しないことを特徴とする足場用支柱。
【請求項２】
前記中間側壁は、二つの第一中間側壁及び二つの第二中間側壁から構成され、それぞれ隣接する仕切壁と仕切壁の間において形成してあり、
第一中間側壁同士と第二中間側壁同士は、側壁の軸に対して軸対称に配置され、
第一中間側壁と第二中間側壁は、支柱の長手方向に位置がずれていることを特徴とする請求項１に記載の足場用支柱。
【発明の詳細な説明】
【技術分野】
【０００１】
本発明は、建物の建設や補修の際に組み立てられる一側足場等に用いられる足場用支柱に関する。
【背景技術】
【０００２】
従来、建物の建設や補修の際に組み立てられる一側足場には、側壁に平面視略コ字形状の受け金具を有する支柱を用い、受け金具にクサビ式の足場用資材を打ち込んで固定するものや（特許文献１）、側壁にフランジを有する支柱を用い、フランジを足場用資材の挟持部で上下から挟み込み、ロックピンを打ち込んで固定するもの（特許文献２）が提案されている。
【先行技術文献】
【特許文献】
【０００３】
【特許文献１】特開２００２−３７１７０８号公報
【特許文献２】特開２０１２−０９２５５０号公報
【発明の概要】
【発明が解決しようとする課題】
【０００４】
しかしながら、このような従来の支柱は、支柱の側壁から受け金具やフランジが突出しているため、多数の支柱を積み重ねるとかさ張ってしまい、運搬の際に不便であった。また、突出する受け金具やフランジに引っ掛かり、作業の手間が掛かることもあった。
本発明は上記事情を鑑み、運搬しやすく利便性の高い足場用支柱を提供することを目的とする。
【課題を解決するための手段】
【０００５】
本発明は、側壁と、四つの仕切壁と、開口部と、中間側壁を備え、側壁は、円筒状であり、仕切壁は、側壁の軸から側壁へ向かってそれぞれ放射状に延び、長手方向に沿って形成してあり、開口部は、側壁と側壁の間において、長手方向に間隔を開けて二箇所設けてあり、開口部からは仕切壁が露出しており、中間側壁は、開口部と開口部の間において隣接する仕切壁間に形成してあり、側壁の外周から突出しないことを特徴とする。
【０００６】
また、前記中間側壁は、二つの第一中間側壁及び二つの第二中間側壁から構成され、それぞれ隣接する仕切壁と仕切壁の間において形成してあり、第一中間側壁同士と第二中間側壁同士は、側壁の軸に対して軸対称に配置され、第一中間側壁と第二中間側壁は、支柱の長手方向に位置がずれている構成としてもよい。
【発明の効果】
【０００７】
本発明によれば、仕切壁は、側壁の軸から側壁へ向かってそれぞれ放射状に延び、長手方向に沿って形成してあり、開口部は、側壁と側壁の間において、長手方向に間隔を開けて二箇所設けてあり、開口部からは仕切壁が露出し、中間側壁は、側壁の外周から突出しないので、手摺やブラケット等の足場用資材の端部を開口部及び側壁内部において係止させることが可能であり、支柱から突出する受け金具やフランジ等を有しないので、積み重ねてもかさ張ることなく持ち運びが容易で利便性が高い。そして、四つの仕切壁を有することによって、支柱としての強度が高く、さらに、四つの仕切壁と中間側壁によって、一箇所で四方向から足場用資材を固定できるので、汎用性が高い。
また、前記中間側壁は、二つの第一中間側壁及び二つの第二中間側壁から構成され、それぞれ隣接する仕切壁と仕切壁の間において形成してあり、第一中間側壁同士と第二中間側壁同士は、側壁の軸に対して軸対称に配置され、第一中間側壁と第二中間側壁は、支柱の長手方向に位置がずれている構成とすれば、例えば前後及び左右の異なる方向へ段違いで足場用資材の端部を係止させることができるので汎用性が高く、従来と略同じ構成の足場を組み立てることができる。
【図面の簡単な説明】
【０００８】
【図１】第一実施形態の足場用支柱であり、（ａ）は正面図、（ｂ）は斜視図である。
【図２】（ａ）は図１のＡ−Ａ線断面図、（ｂ）は図１のＢ−Ｂ線断面図である。
【図３】第二実施形態の足場用支柱であり、（ａ）は正面図、（ｂ）は斜視図である。
【図４】（ａ）は図３のＣ−Ｃ線断面図、（ｂ）は図３のＤ−Ｄ線断面図である。
【図５】（ａ）（ｂ）は、本発明の足場用支柱にクサビ式の足場用資材を取り付ける際の説明図である。
【図６】（ａ）（ｂ）は、本発明の足場用支柱に挟み込み式の足場用資材を取り付ける際の説明図である。
【発明を実施するための形態】
【０００９】
以下、本発明の実施の形態を図面に基づいて説明する。
本発明の足場用支柱は、側壁１と、仕切壁２と、開口部３と、中間側壁４を備える。
【００１０】
本発明の第一実施形態の足場用支柱１０１は、図１及び図２に示すように、長手方向に間隔を開けて位置する円筒状の側壁１の内側に仕切壁２を備える。
仕切壁２は、側壁１の軸Ｏから側壁１へ向かって四つそれぞれ放射状に延びており、足場用支柱１０１の長手方向に亘って形成してある。また、各仕切壁２は略等間隔に配置されている。
【００１１】
隣接する側壁１，１の間には、開口部３と中間側壁４が設けてある。開口部３は、隣接する側壁１，１の間に、長手方向に間隔を開けて二箇所設けてあり、開口部３からは仕切壁２が露出している。中間側壁４は、開口部３と開口部３の間において隣接する仕切壁２間に設けてある。第一実施形態の足場用支柱１０１では、中間側壁４は、周方向に連接して円筒状をなしている。そして、中間側壁４は側壁１の外周から突出しない。言い換えると、仕切壁２の外周面は、側壁１の外周面と同じ、又は、側壁１の外周面よりも内側（軸Ｏ側）に形成してある。中間側壁４は側壁１から突出しないものであれば形状は限定されないが、後述する足場用資材Ｘのクサビ部Ｘ１を挿入した際の強度を考慮して、側壁１の外周から軸Ｏ側にある程度厚みを設けることが望ましい。
【００１２】
開口部３の大きさは、足場用資材Ｘのクサビ部Ｘ１を挿入できるほどの大きさであり、中間側壁４の高さ方向の寸法は、足場用資材Ｘのクサビ部Ｘ１が嵌め込まれて固定できるほどの大きさである。開口部３から挿入されたクサビ部Ｘ１は、二つの仕切壁２，２と中間側壁４によって形成された平面視四半円状の空間に嵌め込まれる。また、後述するフランジを挟持可能に形成された挟み込み式の足場用資材Ｙを連結する場合、中間側壁４の高さ寸法は、挟持部Ｙ１で挟み込み可能な程の大きさとする。中間側壁４の高さ方向の寸法は特に限定されることはないが、クサビ式の足場用資材Ｘを用いる場合よりも挟み込み式の足場用資材Ｙを用いる場合の方が小さい方が適している。そして、挟み込み式の足場用資材Ｙを用いる場合に中間側壁４の高さ方向の寸法を小さく形成した場合には、強度を考慮して、厚み方向の寸法を大きくすることが望ましい。
【００１３】
足場用支柱１０１の上方から下方に向かって、側壁１、開口部３、中間側壁４、開口部３、側壁１の順に形成してある。側壁１間の二つの開口部３とその間に形成された中間側壁４を、一つの取付部５とすると、取付部５は足場用支柱１０１の長手方向に一定の間隔で複数設けてある。取付部５には、後述する手摺やブラケット等の足場用資材Ｘ，Ｙを取り付けることが可能であり、足場用支柱１０１の長さや用途に応じて取付部５を設ける場所や数は任意に決定してよい。
【００１４】
次に本発明の第二実施形態の足場用支柱１０２について説明する。第二実施形態の足場用支柱１０２は、図３及び図４に示すように、長手方向に間隔を開けて位置する円筒状の側壁１の内側に仕切壁２を備え、隣接する側壁１，１の間に開口部３と中間側壁４が設けてあり、開口部３と中間側壁４が足場用資材Ｘ，Ｙの取付部５となる点では第一実施形態の足場用支柱１０１と同じであるが、開口部３と中間側壁４の構成が異なっている。
【００１５】
詳しくは、中間側壁４は二つの第一中間側壁４１，４１と二つの第二中間側壁４２，４２から構成される。第一中間側壁４１及び第二中間側壁４２は、それぞれ隣接する仕切壁２と仕切壁２の間において周方向に形成してあり、第一中間側壁４１，４１同士と、第二中間側壁４２，４２同士は、側壁４の軸Ｏに対して軸対対象に配置されている。つまり、図３において便宜上、紙面手前側を前側、奥側を後側とすると、第一中間側壁４１，４１は高さ方向の同じ位置において前後に対向して形成されており、第二中間側壁４２，４２は高さ方向の同じ位置において左右に対向して形成されている。そして、第一中間側壁４１と、第二中間側壁４２は、足場用支柱１０２の長手方向に位置がずれている。つまり、図４に示すように、第一中間側壁４１，４１が位置する高さには、第二中間側壁４２，４２は形成されていない。そして、隣接する側壁１，１の間において、第一中間側壁４１及び第二中間側壁４２の上下両側がそれぞれ開口部３となっている。
【００１６】
本発明の足場用支柱は、足場を組み立てる際には、従来から用いられている種々の足場用資材を用いることができる。例えば、図５に示すようなクサビ部Ｘ１を端部に有するクサビ型の足場用資材Ｘを本発明の足場用支柱１０１に連結する場合、まず、図５（ａ）に示すように、クサビ部Ｘ１を開口部３に差し込む。次いで、図５（ｂ）に示すように、クサビ部Ｘ１が二つの仕切壁２と中間側壁４で形成された空間に嵌め込まれるよう、足場用資材Ｘをハンマーで打ち込んで固定させる。クサビ部Ｘ１を挿入する取付部５は足場の構成によって任意の場所を選択することが可能であり、一つの取付部５に前後左右、複数の方向からそれぞれ足場用資材Ｘを取り付けることも可能である。なお、足場用資材Ｘのクサビ部Ｘ１が嵌め込まれる空間は平面視四半円状のため、クサビ部Ｘ１の形状もそれに沿う形が望ましい。
このようなクサビ式足場用資材Ｘは、第二実施形態の足場用支柱１０２にも適用できる。
【００１７】
また、図６に示すような、フランジを挟持可能に形成された挟み込み式の足場用資材Ｙを本発明の足場用支柱１０１に連結する場合、まず、図６（ａ）に示すように、足場用資材Ｙの端部に形成された挟持部Ｙ１を上下の開口部３，３に差し込んで、中間側壁４をくわえ込ませる。そして、図６（ｂ）に示すように、ロックピンＰを挟持部Ｙ１に設けた孔Ｙ２に挿し込むとともに、二つの仕切壁２，２と中間側壁４によって形成された平面視四半円状の空間に挿通させることによって足場用資材Ｙを固定する。
このような挟持式足場用資材Ｙは、第二実施形態の足場用支柱１０２にも適用できる。
【００１８】
このように構成した足場用支柱１０１，１０２によれば、仕切壁２は、側壁１の軸Ｏから側壁１へ向かってそれぞれ放射状に延び、長手方向に沿って形成してあり、開口部３は、側壁１と側壁１の間において、長手方向に間隔を開けて二箇所設けてあり、開口部３からは仕切壁２が露出し、中間側壁４は側壁１の外周から突出しないことにより、手摺やブラケット等の足場用資材Ｘ，Ｙのクサビ部Ｘ１や挟持部Ｙ１を開口部３及び側壁１内部において係止させることが可能であり、側壁１から突出する受け金具やフランジ等を有しないので、積み重ねてもかさ張ることなく持ち運びが容易で利便性が高い。また、四つの仕切壁４を有することによって、支柱としての強度が高く、さらに、四つの仕切壁４と中間側壁４によって、一箇所で四方向から足場用資材Ｘ，Ｙを固定できるので、汎用性が高い。
【００１９】
また、中間側壁４が二つの第一中間側壁４１，４１及び二つの第二中間側壁４２，４２から構成される足場用支柱１０２とし、第一中間側壁４１と第二中間側壁４２がそれぞれ隣接する仕切壁２と仕切壁２の間において形成してあり、第一中間側壁４１，４１同士と第二中間側壁４２，４２同士は、側壁１の軸Ｏに対して軸対称に配置され、第一中間側壁４１と第二中間側壁４２は、支柱の長手方向に位置がずれている構成とすれば、例えば前後及び左右の異なる方向へ段違いで足場用資材Ｘ，Ｙを係止させることができるので汎用性が高く、また、従来と略同じ構成の足場を組み立てることができる。
【００２０】
本発明は、上記の実施形態に限定されない。例えば、第一中間側壁と第二中間側壁は便宜上、前後左右に設けてあると記載したが、足場用支柱の前後左右は組み立てる足場の構成や足場用資材によって自由に定めることができる。
【符号の説明】
【００２１】
１      側壁
２      仕切壁
３      開口部
４      中間側壁
５      取付部
４１      第一中間側壁
４２      第二中間側壁
１０１      足場用支柱（第一実施形態）
１０２      足場用支柱（第二実施形態）
Ｏ      軸
Ｐ      ロックピン
Ｘ      足場用資材
Ｘ１    クサビ部
Ｙ      足場用資材
Ｙ１    挟持部
Ｙ２    孔
【図１】
2019190124.tif 000003
【図２】
2019190124.tif 000004
【図３】
2019190124.tif 000005
【図４】
2019190124.tif 000006
【図５】
2019190124.tif 000007
【図６】
2019190124.tif 000008